(57)【要約】      （修正有）【課題】ネジを使用しない簡易な構造で確実にスマートフォンを保護でき、製造が容易でかつ着脱が容易なスマートフォン用ケースを提供する。【解決手段】基部１を、スマートフォンの背面を載置する背面支持部５と、背面支持部５の周囲に設けた枠体２と、背面支持部５の４個の角部に形成した係合部３、４と、係合部のうち１個の係合部３に構成した開離部とによって構成し、蓋部をスマートフォンの前面を支持する前面支持部と、前面支持部の周囲に設けた枠体と、枠体の４個の角部に設けた前記基部１の係合部と係合する係合部と、蓋部の係合部のうち１個の係合部に構成した開離部とによって構成したスマートフォン用ケース。【選択図】図１
0003183528.tif 000002
【実用新案登録請求の範囲】
【請求項１】
スマートフォンの背面を支持する基部と、スマートフォンの前面を支持する蓋部からなるスマートフォン用ケースであり、前記基部のすべての角部に係合爪を形成した係合部を構成し、前記蓋部のすべての角部に係合爪を形成した係合部を構成し、前記基部と蓋部の係合爪を互いに着脱自在に係合させてスマートフォンの外側に嵌合することを特徴とするスマートフォン用ケース。
【請求項２】
前記基部と蓋部の係合部は、内側に湾曲面を構成した台部と、この台部に構成した円弧状の係合爪とからなり、前記基部と蓋部の係合部の内、各々１個の係合部に開離部を形成し、前記開離部を台部の表面に形成した傾斜面と、基部の係合爪の幅を蓋部の係合爪の幅より狭くすることで構成したことを特徴とする請求項１記載のスマートフォン用ケース。
【考案の詳細な説明】
【技術分野】
【０００１】
本考案は、スマートフォン用ケースに関するものであり、特に着脱自在に係合する係合部を有する基部と蓋部からなるスマートフォン用ケースである。
【背景技術】
【０００２】
従来より、スマートフォン用ケースに関して、樹脂製のものが多く使用されているが、樹脂製では落下や衝撃など不測の事態からスマートフォンを守ることができないため、硬質樹脂や金属などの硬質な素材を使用したケースが多く発売されており、その一つとして非特許文献１に示すようにアルミ素材を使用したケースが提案されていた。
【先行技術文献】
【特許文献】
【０００３】
【非特許文献１】アビー＞モバイルアクセサリ５Ｘ０２、[online]、Abee Corporation、［平成２５年２月２０日検索］、インターネット<URL:http://www.abee.co.jp/ma/aluminium_jacket/5X02/index.html>
【０００４】
前記非特許文献１記載のケースは、スマートフォンの周囲をカバーするアルミ材でつくられた背面部と前面部からなるため軽くて丈夫であり、携帯性を損なわずスマートフォンを落下などの衝撃などから保護できるという特長を有している。しかし、このケースは背面部と前面部をネジ止めしてスマートフォンに取り付ける構造であるため、製造工程に高度な加工技術が必要とされると共に、使用に際してもカバーの取り付け取り外しが煩わしいという問題点があった。
【考案の概要】
【考案が解決しようとする課題】
【０００５】
本考案は前記のような従来例の問題点を解決するものであり、ネジを使用しない簡易な構造で確実にスマートフォンを保護でき、製造が容易でかつ取り付け取り外しも簡単に行えるスマートフォン用ケースを提供することを目的とする。
【課題を解決するための手段】
【０００６】
請求項１に記載の考案は、スマートフォンの背面を支持する基部と、スマートフォンの前面を支持する蓋部からなるスマートフォン用ケースであり、前記基部のすべての角部に係合爪を形成した係合部を構成し、前記蓋部のすべての角部に係合爪を形成した係合部を構成し、前記基部と蓋部の係合爪を互いに着脱自在に係合することでスマートフォンの外側に嵌合するスマートフォン用ケースである。
【０００７】
請求項２に記載の考案は、前記基部と蓋部の係合部は、内側に湾曲面を構成した台部と、この台部に構成した円弧状の係合爪とからなり、前記基部と蓋部の係合部の内、各々１個の係合部に開離部を形成し、前記開離部を、台部の表面に形成した傾斜面と、基部の係合爪の幅を蓋部の係合爪の幅より狭くすることで構成したスマートフォン用ケースである。
【考案の効果】
【０００８】
請求項１記載のスマートフォン用ケースによれば、基部と蓋部が角部に設けた係合爪によって係合しているためスマートフォンへの取り付け取り外しが簡単に行え、かつ確実に係合するためスマートフォンを安全に保持できるのである。
【０００９】
請求項２記載のスマートフォン用ケースによれば、基部と蓋部の係合部のそれぞれ１個の係合部に開離部を構成したから、基部から蓋部を取り外す場合は特別な道具を用いずに手指によって簡単に行うことができる。
【図面の簡単な説明】
【００１０】
【図１】スマートフォン用ケースの基部の正面図
【図２】スマートフォン用ケースの基部の右側面図
【図３】スマートフォン用ケースの基部の背面図
【図４】図１のＡ−Ａ線断面図及び部分拡大図
【図５】スマートフォン用ケースの蓋部の正面図
【図６】スマートフォン用ケースの蓋部の右側面図
【図７】スマートフォン用ケースの蓋部の背面図
【図８】図５のＢ−Ｂ線断面図及び部分拡大図
【図９】スマートフォン用ケースの係合状態の側面図及び部分拡大断面図
【図１０】基部から蓋部を外す状態の説明図
【図１１】基部から蓋部を外す状態の説明図
【考案を実施するための形態】
【００１１】
本考案のスマートフォン用ケースの一実施形態を説明する。スマートフォン用ケースは、基部１と、この基部１に着脱自在に係合する蓋部６からなる。
【００１２】
図１ないし図４に基づいて基部１の構成を説明する。
基部１は、スマートフォンＳの背面を載置するための略長方形状の背面支持部５と、この背面支持部５の周端部に立設してスマートフォンＳの上下面と左右両側面を支持する枠体２から構成されている。
【００１３】
前記基部１の４個の角部に係合部３、４，４，４を構成する。この場合、図１の右上の係合部３には開離部３０を構成してあるが、他の３個の係合部４には開離部３０を構成していない。
【００１４】
前記係合部３は、右側の枠体２と上側の枠体２に連続して形成された台部３１からなる。この台部３１は、枠体２表面より前方（図２左方）に突出していて、外側に基部１の角部に沿った湾曲面を構成し、内側にも湾曲面３５を構成してあり、湾曲面３５の表面にはスマートフォンＳの角部を保護するための保護部材３５ａを設けてある。
【００１５】
図４に示すように、前記台部３１の上面には、外側に向かって下降する傾斜面３２を形成し、前記傾斜面３２の上端に係合間隙３３を構成し、この係合間隙３３の上端には、内側の湾曲面３５に沿って幅Ｄ１外側に突出した円弧状の係合爪３４を形成している。前記傾斜面３２と係合爪３４によって開離部３０が構成される。
【００１６】
前記係合部４は、図１の左上と左下、右下の３個の角部に構成された台部４１からなる。この台部４１は、枠体２表面より前方（図２左方）に突出していて、外側に基部１の角部に沿った湾曲面を構成し、内側にも湾曲面４５を構成してあり、湾曲面４５の表面にはスマートフォンＳの角部を保護するための保護部材４５ａを設けてある。
【００１７】
図４に示すように、前記係合部４は前記係合部３と同様な構成であるが、台部４１の上面４２が水平であることと、係合間隙４３の上に設けた係合爪４４の幅Ｄ２は前記係合爪３４の幅Ｄ１と異なり、Ｄ２＞Ｄ１の関係にある点で係合部３と異なる。なお係合部３、４の係合間隙３３、３４の高さＨ１、Ｈ２は等しい。
【００１８】
図５ないし図８に基づいて蓋部６の構成を説明する。
蓋部６は、前記基部１に着脱自在に係合するもので、スマートフォンＳの前面端部を支持する枠状の前面支持部１０と、この前面支持部１０の周面端部に立設してスマートフォンＳの上下面と左右両側面を支持する枠体７から構成されている。
【００１９】
前記蓋部６の４個の角部に係合部８、９，９，９を構成する。この場合、図６の右上の係合部８には開離部８０を構成してあるが、他の３個の係合部９には開離部８０を構成していない。
【００２０】
係合部８は、右側の枠体７と上側の枠体７の延長上に連続して形成された台部８１からなる。この台部８１は、枠体７より後方（図６右方）に突出していて、外側に蓋部６の角部に沿った湾曲面を構成し、内側に湾曲面８３を構成したもので、前記湾曲面８３に沿って円弧状の係合爪８４を形成してある。
【００２１】
図８に示すように、前記台部８１の下面は、内側に下降した傾斜面８２を形成してあり、前記湾曲面８３を係合間隙としている。この係合間隙８３の下端を内側に幅Ｄ４突出して係合爪８４を形成している。前記傾斜面８２と係合爪８４によって開離部８０が構成される。
【００２２】
次に前記係合部９の構成を説明する。
係合部９は、図５の左上と左下、右下の３個の角部に構成された台部９１からなる。この台部９１は、枠体７より後方（図６右方）に突出していて、外側に蓋部６の角部に沿った湾曲面を構成し、内側に湾曲面９３を構成したもので、前記湾曲面９３に沿って円弧状の係合爪９４を形成してある。
【００２３】
図８に示すように、前記係合部９は前記係合部８と同様の構成であるが、台部９１の下面９２が水平であり前記台部８１の下面が傾斜している点で異なり、係合間隙９３の下に設けた係合爪９４の幅Ｄ５は係合爪８４の幅Ｄ４と等しく、係合部８、９の係合間隙８３、９３の高さＨ４、Ｈ５は等しい。
【００２４】
上記のように構成したスマートフォン用ケースの作用を説明する。
まず、スマートフォンＳを基部１の背面支持部５の上に載置して、蓋部６を基部１と係合することでスマートフォンＳを収容保持する。
【００２５】
図９に基づいて、基部１と蓋部６の係合状態を説明する。
蓋部６の係合部８を、基部１の係合部３の上にあてて押圧することで、蓋部６の係合爪８４は基部１の係合爪３４を乗り越えて、係合間隙３３に当接して係合する。
【００２６】
同様に、蓋部６の係合部９を、基部１の係合部４の上にあてて押圧することで、蓋部６の係合爪９４は基部１の係合爪４４を乗り越えて、係合間隙４３に当接して係合する。
【００２７】
前記のように、係合部３と係合部８、係合部４と係合部９を係合させることで、基部１と蓋部６は強固に係合されるため、使用に際して外れることがなく、確実にスマートフォンＳを保護することができる。
【００２８】
基部１と蓋部６の係合状態を解除するときは図１０に示すように、係合部３と係合部８に形成された、傾斜面３２と傾斜面８２によって形成された開離部３０（８０）に指を入れて外側（矢印方向）に引けばよい。このとき、係合爪３４の幅は狭く設定してあるため外れやすいのである。
その他の３個の係合部は係合状態が強固であるから、前記のように、係合部３と係合部８を外した後、蓋部６を図１１の矢印方向に回転しながら外していくと係合部４と係合部９はスムーズに無理なく外れていくのである。
【００２９】
このように本実施形態によれば、基部と蓋部をネジを使用せずに係合爪によって係合すると共に係合部に開離部を構成したから、確実にスマートフォンを保持できると共に基部から蓋部を取り外す場合は手指によって簡単に行えるのである。
【符号の説明】
【００３０】
Ｓ  スマートフォン
１  基部
２  枠体
３  係合部
４  係合部
５  背面支持部
６  蓋部
７  枠体
８  係合部
９  係合部
１０ 前面支持部
３０  間隙（開離部）
３２  傾斜面
３４  係合爪
８０  間隙（開離部）
８２  傾斜面
８４  係合爪
【図１】
0003183528.tif 000003
【図２】
0003183528.tif 000004
【図３】
0003183528.tif 000005
【図４】
0003183528.tif 000006
【図５】
0003183528.tif 000007
【図６】
0003183528.tif 000008
【図７】
0003183528.tif 000009
【図８】
0003183528.tif 000010
【図９】
0003183528.tif 000011
【図１０】
0003183528.tif 000012
【図１１】
0003183528.tif 000013